(57)【要約】【課題】簡便に使用・管理できるだけでなく、化粧液としての機能を有する皮膚用マッサージ器具を提供する。【解決手段】筒状、柱状、または板状構造を有し、外周面に水と接触すると加水分解して酸を発生しうる分解性ポリエステルを含む皮膚接触部を備える接触部材と、前記部材を支持する支持体と、を少なくとも備え、前記皮膚接触部の一部分は、前記部材の外周面側に露出していることを特徴とする皮膚用マッサージ器具。【選択図】図１
2019097646.tif 000002
【特許請求の範囲】
【請求項１】
筒状、柱状、または板状構造を有し、外周面に水と接触すると加水分解して酸を発生しうる分解性ポリエステルを含む皮膚接触部を備える接触部材と、
前記部材を支持する支持体と、を少なくとも備え、
前記皮膚接触部の一部分は、前記部材の外周面側に露出していることを特徴とする皮膚用マッサージ器具。
【請求項２】
分解性ポリエステルが、カルボン酸単位またはアミノ酸単位を含むポリエステルから構成されることを特徴とする、請求項１に記載の皮膚用マッサージ器具。
【請求項３】
分解性ポリエステルが、グリコール酸単位および／または乳酸単位を含むポリエステルから構成されることを特徴とする、請求項１または２に記載の皮膚用マッサージ器具。
【請求項４】
分解性ポリエステルが、乳酸−グリコール酸共重合体、ポリ乳酸、乳酸−アスパラギン酸共重合体から選ばれる少なくとも1種であることを特徴とする請求項１〜３のいずれかに記載の皮膚用マッサージ器具。
【請求項５】
分解性ポリエステルが、乳酸−グリコール酸共重合体および／または乳酸−アスパラギン酸共重合体であることを特徴とする請求項１〜４のいずれかに記載の皮膚用マッサージ器具。
【請求項６】
分解性ポリエステルが重量平均分子量９８，０００以下である請求項１〜５のいずれかに記載の皮膚用マッサージ器具。
【請求項７】
分解性ポリエステルが重量平均分子量５０，０００以下である請求項６に記載の皮膚用マッサージ器具。
【請求項８】
分解性ポリエステルが重量平均分子量３０，０００以下である請求項７に記載の皮膚用マッサージ器具。
【請求項９】
分解性ポリエステルの末端がカルボン酸である請求項１〜８のいずれかに記載の皮膚用マッサージ器具。
【請求項１０】
前記接触部材が、前記支持体に対して脱着可能に設けられていることを特徴とする請求項１〜９のいずれかに記載の皮膚用マッサージ器具。
【請求項１１】
接触部材が、回転しながら、皮膚と接触するローラー部材であることを特徴とする請求項１〜１０のいずれかに記載の皮膚用マッサージ器具。
【請求項１２】
顔の処置に使用する請求項１〜１１のいずれかに記載の皮膚用マッサージ器具。
【発明の詳細な説明】
【技術分野】
【０００１】
本発明は、皮膚用マッサージ器具に関するものである。
【背景技術】
【０００２】
従来、把手を手で掴んでその把手に取り付けたローラー部材や板状部材からなる接触部材を、顔面や身体各部の皮膚面上で接触させることによって皮膚をマッサージするという美容あるいは健康増進を目的とする治具が知られていた。
【０００３】
たとえば、ローラー部材を用いて、その外周面に、酸化チタン薄膜を形成したチタン製ローラーを使用した美容ローラーも提案されている(特許文献１および２)。
さらに、マグネシウムを含有するゴムからなるローラーを備えた美顔ローラーも提案されている（特許文献３）。
【０００４】
以上の特許文献は皮膚表面に機械的刺激を施す皮膚用マッサージ器具であるが、さらに特許文献４には、ローラーを繊維および多孔質材料からなる液体保持部材から構成し、美容液などを含浸した状態で使用する皮膚用マッサージ器具が提案されている（特許文献４）。
【先行技術文献】
【特許文献】
【０００５】
【特許文献１】実用新案登録第３１０９８９６号公報
【特許文献２】実用新案登録第３１６００４６号公報
【特許文献３】実用新案登録第３１８９４６０号公報
【特許文献４】特開２０１１−０００２５１号公報
【発明の概要】
【発明が解決しようとする課題】
【０００６】
皮膚表面は、通常、皮脂や常在菌等の働きによって弱酸性に保たれている。しかし、石鹸で顔や体を洗った後や、紫外線、ストレス、加齢、乾燥などや、アトピー性皮膚炎の炎症などにより、健康な弱酸性の肌に比べてｐＨが高くなり（皮膚表面の弱酸性バランスが崩れ）、真皮に紫外線や異物が入り込みやすくなり、細菌の繁殖が活発になりニキビができたり、乾燥肌、シミ、シワ、クスミの原因となる。
【０００７】
このため洗顔や入浴などの後、化粧液などを用いて、肌表面を弱酸性に保つスキンケアが行われている。スキンケアは、通常コットンや手で、化粧液を延ばして皮膚に塗っていたが、同時に、皮膚を刺激できれば、肌を引き締めるという美容あるいは健康増進効果も同時に行うことができるため、その期待は大きい。
【０００８】
特許文献４では、美容液をローラーに含浸させているものの、使用毎に、必要に応じてローラーを取り外し、洗浄・乾燥の必要があるとともに、過剰の美容液を含浸させる必要があった。また浴室などの加湿環境下では、吸湿することで美容液の充填効率が低下したり、ローラー中の細孔にカビが発生しやすいという課題があった。
【課題を解決するための手段】
【０００９】
このように浴室内などで、簡便に使用・管理できるだけでなく、化粧液としての機能を有する皮膚用マッサージ器具の開発が望まれていた。
このような状況の下、本発明者らは上記課題を解決するために鋭意検討した結果、水と接触すると加水分解して酸を発生しうる分解性ポリエステルを含む材料を皮膚との接触部材に使用することで、上記解題を解決した皮膚用マッサージ器具が得られることを見出し、本発明を完成するに至った。
【００１０】
本発明の構成は以下の通りである。
［１］筒状、柱状、または板状構造を有し、外周面に水と接触すると加水分解して酸を発生しうる分解性ポリエステルを含む皮膚接触部を備える接触部材と、
前記部材を支持する支持体と、を少なくとも備え、
前記皮膚接触部の一部分は、前記部材の外周面側に露出していることを特徴とする皮膚用マッサージ器具。
［２］分解性ポリエステルが、カルボン酸単位またはアミノ酸単位を含むポリエステルから構成されることを特徴とする、［１］に記載の皮膚用マッサージ器具。
［３］分解性ポリエステルが、グリコール酸単位および／または乳酸単位を含むポリエステルから構成されることを特徴とする、［１］または［２］に記載の皮膚用マッサージ器具。
［４］分解性ポリエステルが、乳酸−グリコール酸共重合体、ポリ乳酸、乳酸−アスパラギン酸共重合体から選ばれる少なくとも1種であることを特徴とする［１］〜［３］に記載の皮膚用マッサージ器具。
［５］分解性ポリエステルが、乳酸−グリコール酸共重合体および／または乳酸−アスパラギン酸共重合体であることを特徴とする［１］〜［４］に記載の皮膚用マッサージ器具。
［６］分解性ポリエステルが重量平均分子量９８，０００以下である［１］〜［５］のいずれかに記載の皮膚用マッサージ器具。
［７］分解性ポリエステルが重量平均分子量５０，０００以下である［６］に記載の皮膚用マッサージ器具。
［８］分解性ポリエステルが重量平均分子量３０，０００以下である［７］に記載の皮膚用マッサージ器具。
［９］分解性ポリエステルの末端がカルボン酸である［１］〜［８］のいずれかに記載の皮膚用マッサージ器具。
［１０］前記接触部材が、前記支持体に対して脱着可能に設けられている［１］〜［９］に記載の皮膚用マッサージ器具。
［１１］接触部材が、回転しながら、皮膚と接触するローラー部材であることを特徴とする［１］〜［１０］に記載の皮膚用マッサージ器具。
［１２］顔の処置に使用する［１］〜［１１］に記載の皮膚用マッサージ器具。
【発明の効果】
【００１１】
本発明では水と接触すると加水分解して酸を発生しうる分解性ポリエステルを含む接触部材を皮膚用マッサージ器具の材料として使用しているので、水分により、分解性ポリエステルが加水分解して酸が発生し、化粧液と同様に皮膚表面を弱酸性に保つ効果が発揮され、美肌効果などが期待できる。また、浴室内や洗面所など水分で簡便に使用できる上、洗浄・乾燥の煩雑さも解消される。
なお、化粧液および含浸用のコットンも必要ないため、持ち運びが容易で、使用済コットンの廃棄処理も必要がなく、接触部材を交換すれば、継続使用も可能となる。
【図面の簡単な説明】
【００１２】
【図１】本発明にかかる皮膚用マッサージ器具の一例を示す平面外観図である。
【図２】本発明にかかる皮膚用マッサージ器具の別の一例を示す平面外観図である。
【発明を実施するための形態】
【００１３】
以下、本発明について実施の一態様について説明する。
図１に示す本発明の皮膚用マッサージ器具１は、皮膚との接触部材２と、接触部材２を支持する棒状の支持体３とから構成され、支持体は、接触部材を支持できるものであれば特に制限されない。たとえば、接触部材２の形状に応じて、回転を保持する機構であったり、着脱可能に把持する挟持機構を備えていてもよい。また、接触部材と支持体が一体化していてもよい。挟持機構は特に制限なく、突起やビスなどが例示される。
【００１４】
支持体の本体の形状は、図１に示す形状に限らず、手で持つことが可能な形状であれば特に制限されない。
接触部材の形状は、皮膚に接触しうる形状であれば特に制限されないが、通常、筒状、柱状、または板状構造の部材が使用される。
【００１５】
たとえば図１に示すように接触部材が、回転可能なローラー部材の形状は、ローラー部材が回転しながら皮膚に対して接触し易い形状であれば特に限定されないが、円筒状、多角筒状、円柱状あるいは多角柱であることが好ましい。なお、接触部材の直径および長さは特に限定されるものでない。筒状、柱状ともに、中央部が膨れた俵状であっても、途中箇所に１個以上のくびれ部分を有するひょうたん状であってもよい。
【００１６】
筒状ローラー部材の場合は、貫通孔が設けられ、柱状ローラー部材の場合、円柱状の凹部が設けられ、支持体に挟持されるように構成される。さらにローラー部材が抜け落ちるのを防止するために、必要に応じて止め具などが設けられていてもよい。
【００１７】
また、ローラー部材は、水と接触すると加水分解して酸を発生しうる分解性ポリエステルを含む皮膚接触部を備える接触部材を備える限り、回転しない態様であってもよい。
板状の接触部材の場合、支持体と一体化して動かないものであっても、凹凸に追従して転動（揺動）するように支持体に保持されていてもよい。
【００１８】
なお、接触部材の外周面には、水と接触すると加水分解して酸を発生しうる分解性ポリエステルを含む皮膚接触部を備える。
皮膚接触部の一部分は、前記接触部材の外周面から外に露出して、皮膚と接触するようになっている。皮膚接触部の露出領域は、接触部材の外周面と略同一面を構成している。皮膚接触部は、シート状に接触部材外周全面に設けられていれば、貼りつけられていても埋め込まれていてもよい。皮膚接触部は接触部材外周面全面に設けられていてもよいが、接触部材の一部に帯状に設けられていてもよい。またモザイク状や網状、粒状のように点在するように設けられていてもよい。さらに皮膚接触部は、ドット状に突起を備え、その一部が皮膚と接触するように構成してもよい。
【００１９】
接触部材は、皮膚との接触面が必ず直線である必要はなく、皮膚に接触しやすくように中心部が凸にたわんでいてもよく、さらに皮膚に凹凸に追従して変形しうる構造であってもよい。
【００２０】
支持体は、通常Ｙ字またはＵ字状の二股構造でその先端に設けられた支持部を備えている。また支持体は、先端に支持部として軸受構造を有するものであってもよい。
図１に示される接触部材は、その両端が支持体の支持部によって挟持されている。そして、支持部の両先端部の内側（接触部材が配置された側）には、把持機構として、円筒状の場合貫通孔の直径、柱状の場合は凹部直径より若干小さい直径を有する凸部が設けられており、この凸部が貫通孔および凹部内に挿入されている。これによって、接触部材が回転可能となる。
【００２１】
また、図２に示されるように支持体の二股に分かれた一方ないし両方の端部に、軸回転可能に接触部材が設けられていてもよい。接触部材の形状は円筒状であっても、多角柱状であっても、さらにこれらを組み合わせた多面体状であってもよく、板状であってもよい。さらに、図示しないが、支持体が股わかれせずに、１本の柄の端側支持部に、軸回転可能に接触部材がけられていてもよく、板状の接触部材が支持体と一体化してもＴ字構造となるように設けられていてもよい。いずれ場合でも、接触部材は回転しない態様であってもよい。なお支持体端部が接触部材の最端部に限定されない。支持部の最端部に接触部材を保持するための支持機構が設けられていてもよい。
【００２２】
ここで、支持体および／または接触部材の皮膚接触部以外の材料は、腐食や人体に影響がないものであれば特に制限されることなく使用できる。たとえばチタン、ゲルマニウム、ステンレスなどの金属からなるものであっても、ポリプロピレンやポリスチレン、シリコーンゴムなどの各種プラスチックスかならなるものであっても、さらにカーボンやガラスなど無機材料であってもよい。支持体が弾性変形容易な樹脂材料（たとえばシリコーンゴム等）から構成される場合は、支持体および／または接触部材本体を変形させることで、支持体に対して接触部材を脱着可能とすることができる。また、支持体が可撓性材料からなる場合は、支持体をたわませて接触部材を脱着することも可能である。
【００２３】
皮膚接触部は、少なくとも一部に、水と接触すると加水分解して酸を発生しうる分解性ポリエステルを含有する。「分解性」には「生分解性」の概念も含まれる。加水分解して放出される化合物が生体成分のものも、生体吸収性のものも、本発明で使用される分解性ポリエステルとして使用できる。
【００２４】
本発明では、皮膚接触部全体が分解性ポリエステルを含んでいてもよく、また、接触部の一部に含まれていれてもよい。たとえば、接触部材の端部や中央部の皮膚接触部に分解性ポリエステルが含まれていてもよく、ドットなど突起状の皮膚接触部として、先端部のみ分解性ポリエステルを含む構成であってもよい。
【００２５】
本発明で使用される分解性ポリエステルについて具体的には、多価カルボン酸に由来する構成単位（ａ−１）及びヒドロキシカルボン酸に由来する構成単位（ａ−２）から構成される重合体であるもの、ヒドロキシカルボン酸に由来する構成単位（ａ−２）から構成される重合体であるもの、あるいは多価カルボン酸に由来する構成単位（ａ−１）及びポリオール化合物に由来する構成単位（ａ−３）から構成される重合体であるものなどが挙げられる。重合体は、ランダム共重合体、ブロック共重合体、グラフト共重合体の何れでも構わない。
【００２６】
構成単位（ａ−１）は多価カルボン酸に由来する構成単位であれば良く、特に限定されない。
多価カルボン酸として、例えば、マロン酸、コハク酸、マレイン酸、フマル酸、アスパラギン酸、グルタミン酸等が挙げられる。好ましくは、アスパラギン酸である。尚、アスパラギン酸等のアミノジカルボン酸を重合させて得られるポリイミドを皮膚接触部の部材として使用してもよい。
【００２７】
構成単位（ａ−２）はヒドロキシカルボン酸に由来する構成単位であれば良く、特に限定されない。中でも、グリコール酸、乳酸、２−ヒドロキシ酪酸、２−ヒドロキシ吉草酸、２−ヒドロキシカプロン酸、２−ヒドロキシカプリン酸等のα−ヒドロキシカルボン酸、リンゴ酸、クエン酸；グリコライド、ラクタイド、ｐ−ジオキサノン、β−プロピオラクトン、β−ブチロラクトン、δ−バレロラクトン又はε−カプロラクトンに由来する構成単位が好ましく、乳酸又はラクタイドに由来する構成単位がより好ましい。
【００２８】
重合原料としてはグリコライド（ＧＬＤ）、ラクタイド（ＬＴＤ）、グリコール酸、乳酸およびラクトンから選択される1種以上が使用される。グリコライドおよびラクタイドは、それぞれグリコール酸および乳酸の脱水重縮合反応、およびそれに続く熱分解反応により容易に調製される環状二量体である。ラクタイドには、Ｄ−乳酸の環状二量体であるＤ−ラクタイド、Ｌ−乳酸の環状二量体であるＬ−ラクタイド、Ｄ−乳酸とＬ−乳酸とが環状二量化したメソラクタイド、およびＤ−ラクタイドとＬ−ラクタイドとのラセミ混合物であるDL−ラクタイドがあり、いずれのラクタイドも原料として用いることができる。乳酸はL−乳酸、Ｄ−乳酸およびＤＬ−乳酸のいずれでも使用することができる。
【００２９】
構成単位（ａ−３）はポリオール化合物に由来する構成単位であれば良く、特に限定されない。ポリオール化合物として、例えば、エチレングリコール、プロピレングリコール、１，２−ブタンジオール、１，３−ブタンジオール，１，４−ブタンジオール、１，５−ペンタンジオール、１，６−ヘキサンジオール等が挙げられる。エチレングリコール、プロピレングリコール、１，４−ブタンジオールが好ましい。
分解性ポリエステルとして、カルボン酸単位またはアミノ酸単位を含むポリエステルが、加水分解後に弱酸性を示すため、好ましい。
【００３０】
本発明ではポリエステルが、乳酸−グリコール酸共重合体、ポリ乳酸、乳酸−アスパラギン酸共重合体から選ばれる少なくとも1種であることが好ましく、さらに、ポリエステルが、乳酸−グリコール酸共重合体および／または乳酸−アスパラギン酸共重合体であることが好ましい。これらのポリエステルは水と接触することで、徐々に分解し、かつ弱酸を発生するために好ましい。弱酸の目安として、水に浸漬したときのｐＨが４．０〜６．５の範囲にあるものが好ましい。分解性ポリエステルは、水と徐々に反応して分解して溶け出すために、接触部材表面には、新しいポリエステル面が露出する。したがって、接触部材のポリエステル面が減ったり、無くなった場合に、接触部材交換の目安となる。
【００３１】
構成単位（ａ−１）と構成単位（ａ−２）のモル組成比［（ａ−１）／（ａ−２）］は、重合時の仕込量で調整することが可能であり、好ましくは１／１〜０／５０であり、より好ましくは１／３〜０／５０であり、特に好ましくは１／５〜０／５０である。モル組成比がこれらの範囲内にあると、分解速度促進効果に優れた共重合体が得られる。なお、モル組成比［（ａ−１）／（ａ−２）］の（ａ−１）が０の場合は、構成単位（ａ−２）の単独重合体となる。
【００３２】
構成単位（ａ−１）と構成単位（ａ−３）のモル組成比［（ａ−１）／（ａ−３）］は、重合時の仕込量で調整することが可能であり、好ましくは３／７〜７／３であり、より好ましくは４／６〜６／４である。モル組成比がこれらの範囲内にあると、分解速度促進効果に優れた共重合体が得られる。
【００３３】
ポリエステルの重量平均分子量は９８，０００以下であることが、分解性の点で好ましく、好ましくは５０,０００以下であり、より好ましくは３０,０００以下である。重量平均分子量の下限は、固体性状を維持できる限り特に制限されないが、好ましく１,０００以上であり、より好ましくは２,５００以上である。重量平均分子量は、後述する実施例に記載の条件で、ゲル・パーミエーション・クロマトグラフィー（ＧＰＣ）により求めた値である。
【００３４】
皮膚接触部は、前記分解性ポリエステル単独で構成されても、また、前記分解性ポリエステルの他に公知の材料を含む組成物から構成されていてもよい。たとえば、特許３４００９９８号にあるように、ポリエチレン、ポリプロピレン、ポリスチレン、ポリエチレンテレフタレートおよびポリアセタールなどの非水溶性ポリマー成分、酸化ポリエチレン、ポリビニール・ピロリドン、ポリアクリルアミド、ヒドロキシプロピル・セルローズ、ポリビニール・イミダゾンリン、ポリヒドロキシエーテルメタアクリレート、シリコンポリマーなどの水溶性ポリマーやステアリン酸スクロース、ビタミンＥ、パンテノール、アロエエキス、抗菌防臭剤、精油などの水溶性成分、ポリエチレングリコール、メタオキシポリエチレングリコール、メチルセルローズおよびカルボキシポリメチレンなどの低分子量の放出促進剤を含んでいてもよい。
【００３５】
皮膚接触部を前記分解性ポリエステルとともに他の材料から構成する場合、他の材料は、分解性ポリエステル１００質量部に対し、１，０００質量部以下、好ましくは５００質量部以下であればよい。
【００３６】
さらに、皮膚接触部を構成する材料には、美肌成分や、ニキビ、乾燥肌、シミ、シワ、クスミなどの予防成分が有効成分として含まれていてもよい。有効成分は、機能を発揮する程度の含有量であれば特に制限されない。
【００３７】
有効成分としては、たとえば、再表２０１４／１０４１７１号公報にあるように、Ｌ−アスコルビン酸などや、肌のターンオーバー改善作用や糖化反応抑制作用を有する植物抽出物又は化合物、保湿剤、収れん剤、角質軟化剤、エモリエント（柔軟）剤及び界面活性剤、香料、色素、防腐剤、殺菌剤、紫外線吸収剤、美白剤、抗炎症剤、血行促進剤、防腐剤及び殺菌剤などが挙げられ、目的に応じて適宜選択される。
【００３８】
皮膚接触部は、たとえば、分解性ポリエステル及び必要に応じて他のポリマー成分や有効成分を水や揮発性溶媒に溶解または分散させたペーストを作製し、接触部材に塗布乾燥することで、形成可能である。塗布する際にドット状やモザイク状に塗布すれば、部分的な皮膚接触部を構成できる。さらに、分解性ポリエステルと前記した他のポリマー成分および有効成分などを溶融混合したのち、板状やフィルム状に成形し、接触部材に接着剤を介して張り付けたり、接触部材に熱圧着させることで、皮膚接触部を形成してもよい。また、射出成形で接触部材に直接皮膚接触部を設けることも可能である。接触部材には、必要に応じて皮膚接触部を設けるための凹部や、皮膚と接触しやするための突起が設けられていてもよい。皮膚接触部の厚みは、皮膚接触部の一部分が皮膚と接触し得る程度に露出している限り、特に限定されない。また、接触部材本体を、皮膚接触部を構成する材料から構成する場合、分解性ポリエステルと、前記した他のポリマー成分および添加される各種添加剤などとの溶融混合物を射出成形したり、押出成形して、成形することも可能である。
【００３９】
本発明の皮膚用マッサージ器具は、接触部材の皮膚接触部を皮膚に押し当てて使用される。たとえば、接触部材がローラー部材の場合、回転させることによって使用される。本発明では、使用時に皮膚接触部を水に濡らして使用する。水と接触すると、皮膚接触部の分解性ポリエステルの一部が分解して、弱酸性の成分(乳酸やグリコール酸など)を放出して、皮膚を弱酸性に保つことができる。このため化粧液と同様の機能を付与できる。さらに必要以上の化粧液を使用する必要もない。
【００４０】
本発明の皮膚用マッサージ器具を使用すれば、皮膚を健康な弱酸性に保つことが可能であり、細菌の繁殖が活発になることが原因で起こるニキビを抑制でき、さらに乾燥肌、シミ、シワ、クスミなどを予防することができる。
皮膚接触部に分解性ポリエステルとともに添加される各種有効成分は、分解性ポリエステルが徐々に分解することによって、徐々に放出される。
【００４１】
また、接触部材が皮膚と接触することで、皮膚もしくは皮膚の直下に存在する筋肉等のマッサージや血流促進効果を期待できる。しかも、皮膚に放出されるものは弱酸性の生分解性成分であり、皮膚への刺激が少ないため、アトピー性皮膚炎やニキビなどの炎症部分であっても使用できる。
【００４２】
本発明の皮膚用マッサージ器具は、顔や腕、肩、腰、脚などいずれの部位にも適用可能であり、部位に応じて器具や接触部材の大きさや形状、皮膚接触部の組成は適宜選択される。特に、有効成分に美白剤や保湿剤、血行促進剤などを組み合わせれば、美肌やアンチエイジング、小顔やシェイプアップといった効果を得たい女性の間ではポピュラーなグッズとなっているフェイスローラーとして、顔の処置に好適である。
【００４３】
接触部材の外周面のうち、分解性ポリエステルを含む皮膚接触部以外の部分には、皮膚に対して各種の効能を有する固形成分を粒子状あるいは粉末状としたものを埋め込んだり、あるいは、固形成分をプレート状あるいは箔状としたものを貼り付けたりしてもよい。このような固形成分としては、たとえば、ミネラル砕石、ブラックシリカ、硅石、ホワイトシリカ、快悠石、トルマリン、二股ラジウム、ゲルマニウム、ホタテの貝殻、麦飯石、医王石、ゼオライト、金等を挙げることができる。
【００４４】
また、接触部材は、支持体に対して脱着可能に設けられていてもよい。この場合、繰り返し使用により、皮膚接触部が薄くなり、効果が低くなれば、接触部材のみを交換することで、皮膚用マッサージ器具を廃棄せずに再利用できる。
【００４５】
〔実施例〕
次に、本発明を、実施例によりさらに具体的に説明する。なお、実施例中の物性値その他は以下の方法により測定した。
【００４６】
重量平均分子量
ポリＤＬ−ラクタイド−コ−グリコライドおよびポリＤＬ−ラクタイドの重量平均分子量は、重合体をテトラヒドロフラン（ＴＨＦ）に溶解し（０．３ｗ／ｖ％）、ＴＨＦを溶離液に用いたＧＰＣにより、重量平均分子量（Ｍｗ）をポリスチレン換算で求めた。ポリ−Ｌ−ラクタイド−コ−アスパラギン酸の重量平均分子量は、重合体をN,N-Dimethylacetamide（6mM LiBr, 7mM H3PO4）に溶解し（０．１ｗ／ｖ％）、同溶媒を溶離液に用いたＧＰＣにより、重量平均分子量（Ｍｗ）をポリスチレン換算で求めた。
【００４７】
ポリマー組成
試料を重水素化クロロホルムに溶解し、濾過したものを５ｍｍφの試料管に入れ、1Ｈ−ＮＭＲ測定装置にて測定した。得られたチャートの積分比から構成成分のｍｏｌ比を算出した。ポリ−Ｌ−ラクタイド−コ−アスパラギン酸については重合仕込み時の組成比をポリマー組成とした。
【００４８】
インヘレント粘度
クロロホルムを溶媒に用い、試料濃度０．５ｇ／ｄｌの溶液を調製し、２５±０．０５℃の温度でウベローデ型粘度計を用いて測定した。
次式により溶液のインヘレント粘度ηを算出した。
η＝loge（Ｔ1／Ｔ0）／Ｃ  Ｔ0＝ブランク測定時間  Ｔ1＝測定時間  Ｃ＝溶液濃度（0.5）
【００４９】
肌ｐＨの測定
ハンナインスツルメンツ製、日常防水型ポータブルｐＨ計  ＨＩ９９１８１Ｎを用いて測定した。
【００５０】
実施例１
市販の液体ハンドソープを用いて腕を洗浄した。洗浄後の腕の肌ｐＨを測定したところ、６．７であった。ポリＤＬ−ラクタイド−コ−グリコライド（ラクタイド比率７５ｍｏｌ％、インヘレント粘度０．１９ｄＬ／ｇ、重量平均分子量１３７００）を１２０℃で加熱して溶融し、その後冷却して板状に調製した。この板状の成形体を水で濡らしてハンドソープで洗浄した後の腕を２分間こすった。ポリマーで処置した後の腕の肌ｐＨは５．８であった。ポリマーで処置していない部分の肌ｐＨは６．５であり、ポリマーで処置した部分の肌ｐＨの方が有意に低く、ポリマーで処置することにより肌ｐＨが弱酸性になっていることが確認できた。
【００５１】
実施例２
実施例１と同様に、ポリＤＬ-ラクタイド（ラクタイド比率１００ｍｏｌ％、インヘレント粘度０．２２ｄＬ／ｇ、重量平均分子量１５４００）を用いてハンドソープで洗浄後の肌を処置した。処置していない部分のｐＨが６．６だったのに対し、処置した部分のｐＨは５．９であった。
【００５２】
実施例３
分解性ポリエステルとして、ポリ−Ｌ−ラクタイド−コ−アスパラギン酸（重合仕込み時のモル組成で乳酸：アスパラギン酸＝５／１、重量平均分子量１５７００）を使用した以外は、実施例１と同様にして、肌を処置した。処置後の肌ｐＨは５．９であり、処置していない部分の肌ｐＨは６．７であり、実施例１および２のポリ乳酸系ポリマーと同等の効果を示した。
【符号の説明】
【００５３】
１      皮膚用マッサージ器具
２      接触部材
３      支持体
【図１】
2019097646.tif 000003
【図２】
2019097646.tif 000004